(57)【要約】【課題】  バールなどによる破壊行為に対する紙幣挿入口の間口の広がりを抑制できるようにした紙幣識別装置を提供する。【解決手段】  紙幣ガイド口の内側の上下に、２つの補強板８，９を配置してフレーム１に固定するとともに、補強板８，９を相互に連結して、間口を補強した。さらに、一方の補強板９をばね材で構成した。これにより、バールなどで間口を広げるような外力が加わったとしても、補強板９は変形するが、外力がなくなるともとの形に復元するので、間口の広がりを抑制することができ、防盗性を向上させることができる。【選択図】  図４
2005284692.tif 000002
【特許請求の範囲】
【請求項１】
投入された紙幣を識別して収納しておく紙幣識別装置において、
紙幣入口部に設けられた紙幣ガイド口の内側で紙幣搬送通路を挟むよう配置されて互いに連結されているとともに、少なくとも一方はばね材で構成された第１および第２の補強板を備えていることを特徴とする紙幣識別装置。
【請求項２】
前記第１および第２の補強板は、前記紙幣入口部が取り付けられるフレームの開口部の周りに固定されて前記フレームの剛性を高めるように構成されていることを特徴とする請求項１記載の紙幣識別装置。
【請求項３】
前記紙幣入口部が下方に位置し、識別した紙幣を収納しておく紙幣収納庫が前記紙幣入口部より上方に位置する状態で使用されるタイプであって、前記第１および第２の補強板のうち下方に設置される側がばね材でできていることを特徴とする請求項１記載の紙幣識別装置。
【請求項４】
前記紙幣収納庫が取り付けられるフレームの前記紙幣入口部から離れた位置に、前記フレームの変形により前記紙幣収納庫が外れて前記紙幣入口部の方へ落下してしまうのを防止する落下防止金具を備えていることを特徴とする請求項３記載の紙幣識別装置。
【請求項５】
前記落下防止金具は、前記フレームの両側壁から内側に突出していて落下する前記紙幣収納庫の側壁に突設された突出部を受けるが、前記フレームに対する前記紙幣収納庫の着脱では前記突出部と干渉しないように構成された受部を有していることを特徴とする請求項４記載の紙幣識別装置。
【発明の詳細な説明】
【技術分野】
【０００１】
本発明は紙幣識別装置に関し、特に自動販売機などに搭載されて投入された紙幣を識別して収納しておくものであって紙幣挿入口の破壊による収納紙幣の盗難を抑止することができる紙幣識別装置に関する。
【背景技術】
【０００２】
紙幣を取り扱うことができる自動販売機などにおいては、紙幣識別装置が搭載されており、紙幣が投入されると、それを紙幣識別装置が識別し、正しく識別できた場合には投入された紙幣を内部に設けられた紙幣収納庫に収納し、正しく識別できなかった場合には返却するようにしている。
【０００３】
自動販売機は、通常、屋外などに設置される場合が多く、中でも、紙幣識別装置は、高額金種の紙幣が収納されている場所であり、しかも、紙幣挿入口が自動販売機の正面扉から露出していることから、近年、盗札目的の破壊行為が多発しているという状況にある。一般には、その狭い紙幣挿入口をたとえばバールで抉じ開けて間口を広げ、そこから収納紙幣を抜き取る、といったことが行われているため、特に、紙幣識別装置においては、防盗性を向上させることが望まれている。
【０００４】
このようなニーズに対して、たとえ、バールによる破壊行為が行われたとしても、中に収納されている紙幣には近づくことができないようにして防盗性を向上させた紙幣識別装置が知られている（たとえば、特許文献１参照。）。この紙幣識別装置によれば、紙幣収納庫を覆うように屈曲部を有する補強板を備え、紙幣挿入口に外力が与えられると、補強板が屈曲してその一部が紙幣収納庫を覆い隠すように倒れ込むことで、紙幣収納庫に収納された紙幣を保護するようにしている。
【特許文献１】特開２００１−２０９８５２号公報（段落番号〔００１０〕〜〔００１１〕，図１）
【発明の開示】
【発明が解決しようとする課題】
【０００５】
しかしながら、従来の紙幣識別装置では、紙幣挿入口はバールなどによる破壊行為によって比較的容易に間口を広げることが可能であり、間口が大きく広がれば、紙幣収納庫を覆い隠すように倒れ込んだ補強板に対しても容易に破壊行為を行うことができるので、防盗性という面では十分ではないという問題点があった。
【０００６】
本発明はこのような点に鑑みてなされたものであり、バールなどによる破壊行為に対する紙幣挿入口の間口の広がりを抑制できるようにした紙幣識別装置を提供することを目的とする。
【課題を解決するための手段】
【０００７】
本発明では上記問題を解決するために、投入された紙幣を識別して収納しておく紙幣識別装置において、紙幣入口部に設けられた紙幣ガイド口の内側で紙幣搬送通路を挟むよう配置されて互いに連結されているとともに、少なくとも一方はばね材で構成された第１および第２の補強板を備えていることを特徴とする紙幣識別装置が提供される。
【０００８】
このような紙幣識別装置によれば、紙幣ガイド口を互いに連結したばね材の第１および第２の補強板によって補強するように構成したことにより、紙幣ガイド口からバールのようなものを差し込んで抉じ開けることにより間口を広げても、バールのようなものを紙幣ガイド口から引き抜くと、変形されていた第１および第２の補強板は、そのばね性によってほぼもとの形状に復元されて間口は元の状態に戻されるようになる。このため、紙幣ガイド口を破壊することは難しく、破壊されたとしても破壊されるに至るまでに大幅に時間を要するようになるので、バールなどによる破壊行為に対して防盗性を向上させることができる。
【発明の効果】
【０００９】
本発明の紙幣識別装置は、少なくとも一方がばね材による第１および第２の補強板を追加するだけで構成できるので、比較的低コストでありながら、防盗性を高める効果が非常に大きいという利点がある。
【発明を実施するための最良の形態】
【００１０】
以下、本発明の実施の形態を図面を参照して詳細に説明する。
図１は本発明による紙幣識別装置の全体を示す概観斜視図、図２は紙幣入口部の中央縦断面図、図３は紙幣識別装置のフレームを示す斜視図、図４は紙幣識別装置のフレームおよび補強板を示す斜視図、図５は補強板の結合方法を示す図、図６は紙幣入口部の分解斜視図である。
【００１１】
紙幣識別装置は、図１に示したように、たとえば自動販売機の前面扉の内側に取り付けられるフレーム１と、このフレーム１に取り付けられて紙幣を取り込む紙幣入口部２と、この紙幣入口部２にて取り込まれた紙幣を識別する図示しない紙幣識別部と、この紙幣識別部にて識別された紙幣を集積収納する紙幣収納庫３とを備えている。図示の紙幣識別装置は、特に、これを取り付ける自動販売機側の取り付けスペースの関係から、紙幣入口部２が縦長のフレーム１の下部に配置されているものであり、したがって、フレーム１内においては、その下部に紙幣識別部が配置され、上部に紙幣収納庫３が配置される構成になっている。
【００１２】
紙幣入口部２は、その正面のほぼ中央に横長の紙幣ガイド口４が開口している。この紙幣ガイド口４の内側には、図２に断面で示したように、紙幣入口部２内において紙幣搬送通路を形成するように上下に離間配置されガイド板５，６を備えている。下側に位置するガイド板６は、紙幣ガイド口４に連結されている部分が水切り構造に形成されていて、紙幣ガイド口４より浸入した雨水を排水し、雨水によって挿入された紙幣が吸着しないよう紙幣とは線接触するようになっている。
【００１３】
紙幣搬送通路の途中には、紙幣ガイド口４より挿入された紙幣を取り込む取込ローラ７が設けられている。この取込ローラ７によって取り込まれた紙幣は、その奥のフレーム１内に設置される紙幣識別部に渡される。なお、挿入された紙幣が紙幣識別部にて識別できなかった場合には、その紙幣は、紙幣識別部より逆送され、逆転駆動された取込ローラ７により搬送されて紙幣ガイド口４から返却される。
【００１４】
紙幣入口部２において、その紙幣ガイド口４の内側の上下には、補強板８，９が配置されている。これらの補強板８，９は、バールなどによる破壊行為に対して防盗性を向上させるためのものであり、紙幣入口部２の中にガイド板５，６とともにフレーム１に結合されている。次に、その補強板８，９のフレーム１への結合について説明する。
【００１５】
フレーム１は、図３に示したように、板金を四方に折り曲げ加工することによって箱状に形成され、紙幣入口部２が取り付けられる正面側の板金には開口部１０が形成されている。その開口部１０の左右および下側の片は、板金の折り曲げ部近傍にあるため、比較的高い剛性を有しているが、上側の辺については剛性が低く、紙幣入口部２からの外力に対して弱くなっているので、その開口部１０の上側の辺を延長して折り曲げ加工することにより、補強片１１をフレーム１と一体に形成して剛性を高めるようにしている。
【００１６】
このようなフレーム１に対して、図４に示したように、上述した補強板８，９を設けている。上側の補強板８は、コの字状の板金を折り曲げて構成され、中央基部１２とその両端のアーム部１３とを有している。一方、下側の補強板９においても、中央基部１４と一体にフレーム固定部１５、連結部１６および外力吸収部１７を有している。ここで、補強板８，９の少なくとも一方は、ばね材によって形成されている。この実施の形態では、下側の補強板９をばね材によって形成している。
【００１７】
上側の補強板８は、その中央基部１２が補強片１１に固定され、下側の補強板９は、そのフレーム固定部１５によってフレーム１の下端部に固定され、さらに、これらの補強板８のアーム部１３と補強板９の連結部１６とをねじ１８によって互いに結合している。
【００１８】
これにより、たとえば紙幣入口部２の紙幣ガイド口４にバールを挿入して間口を広げようとした場合、バールの先端が構造的に梁の効果で強度が保たれている上側の補強板８に係止され、バールのてこの支点が下側の補強板９に乗るような形になる。ここで、紙幣ガイド口４に挿入したバールを押し下げると、下側のばね材の補強板９が変形し、バールを元に戻せば、変形された補強板９は、そのばね性によって元の形状に復元するため、間口が広がったままになることはない。したがって、紙幣ガイド口４の間口を広げて、そこからその奥にある紙幣収納庫に収納されている紙幣を取り出すことが非常に困難になり、防盗性を向上させることができる。
【００１９】
このような補強板８，９をフレーム１に取り付けるには、図５に示したように、まず、補強板８，９は、ガイド板５，６を挟んで組み立てられ、ねじ１８によって互いに連結される。その後、図６に示したように、ねじ１９によって中央基部１２を補強片１１に固定することにより補強板８をフレーム１に固定する。次いで、カバー２０の上側の辺に形成された突起２１をフレーム１の孔２２に入れて係止させ、最後に、カバー２０の下側のフランジ部に形成された孔にねじ２３を通し、そのねじ２３を用いて補強板９とともにフレーム１に固定する。
【００２０】
次に、この実施の形態の紙幣識別装置では、そのフレーム１の下部に紙幣入口部２を設け、フレーム１の上部に紙幣収納庫３を設置する構成であるため、フレーム１の側壁に着脱自在に取り付けられている紙幣収納庫３は、バールによる破壊行為によってフレーム１の側壁が広げられることでその取り付け部が外れて落下するおそれがある。紙幣収納庫３が落下すると、紙幣収納庫３に収納されている紙幣が紙幣ガイド口４のところまで近づいてしまうことになる。そこで、この紙幣識別装置では、破壊行為によってフレーム１の側壁が広げられて紙幣収納庫３の取り付け部が外れても、紙幣収納庫３が落下することがないようにしている。
【００２１】
図７は紙幣収納庫および落下防止部を示す正面図、図８は図７のＡ部の詳細を示す部分拡大図、図９は紙幣収納庫の取り付け状態を示す斜視図、図１０は紙幣収納庫の着脱状態を説明する図である。
【００２２】
紙幣収納庫３は、図７には図示はしないが、その内部に紙幣２４を受ける受板が配置され、その背後側の中央にスプリングが配置されていて受板を正面側に付勢するようにしている。紙幣収納庫３の正面は開口されていて、左右の側壁の正面側縁部には内側に突出した複数の突起部２５を備えている。これにより、紙幣識別部にて識別された紙幣を紙幣収納庫３の正面まで搬送し、それを紙幣収納庫３内へ押し込むことによって中に集積収納する。紙幣２４は、その中央部を押し込むことにより、その左右の両端が突起部２５を乗り越えて中に入り、押し込みを解除した後は、内側からスプリングによって付勢されることにより、紙幣２４は、その左右の両端が受板と突起部２５とに挟み付けられて紙幣収納庫３内に保持される。これにより、紙幣２４は紙幣収納庫３内に集積収納される。
【００２３】
その紙幣収納庫３の上側の両側壁には、外側に突出した突出部２６をそれぞれ備えている。これに対応して、フレーム１の側壁には、図８に詳細に示したように、紙幣収納庫３の取り付けが外れたときに突出部２６を受け止める落下防止金具２７がねじ２８によって固定されている。この位置は、破壊行為によってフレーム１の側壁が広げられても、その影響が出にくい場所、すなわち、紙幣入口部２の取り付け位置から離れたフレーム１の上方に設けられている。
【００２４】
この落下防止金具２７は、紙幣収納庫３の取り付け状態での落下に対しては、突出部２６を受け止めるが、紙幣収納庫３内の紙幣２４を回収するときの紙幣収納庫３の揺動動作に対しては、これに干渉しないような構造になっている。すなわち、落下防止金具２７は、フレーム１の側壁に固定される固定部２９とこの下端部を内側に屈曲させて紙幣収納庫３の突出部２６の下方に位置するように延長された受部３０とによって一体に形成され、その前後方向には、紙幣収納庫３の揺動動作によって紙幣収納庫３の突出部２６が描く移動軌跡を妨げるように位置するものはない。
【００２５】
ここで、紙幣収納庫３をフレーム１へ取り付けるには、紙幣収納庫３を斜めにした状態でフレーム１の中に裏側から差し込み、紙幣収納庫３の下方側壁に一体に形成されたガイド３１をフレーム１の側壁に内側に突出するように設けられたガイドピン３２に乗せ、その状態で紙幣収納庫３を起立させていって、紙幣収納庫３の上部をフレーム１内に押し込む。このとき、紙幣収納庫３の側壁に進退自在に突設されたラッチ部３３がフレーム１の側壁縁部を内側に屈曲して形成された係止部３４により内側に押し込まれながらフレーム１内に入る。ラッチ部３３が係止部３４を乗り越えると、ラッチ部３３は外側に広がって係止部３４に係止され、紙幣収納庫３は、図９に示したように、フレーム１に取り付けられる。
【００２６】
紙幣収納庫３の上部がフレーム１内に押し込まれるとき、紙幣収納庫３の突出部２６は、落下防止金具２７の受部３０の上方を通過して入っていき、紙幣収納庫３がフレーム１に取り付けられたときには、受部３０に接触することなく、その上方に位置している。
【００２７】
紙幣収納庫３に収納された紙幣を回収する際には、裏面に設けられた２つの解除用の操作部３５を指で摘む。これにより、それの操作に連動してラッチ部３３は、紙幣収納庫３の内側に向かって退避して係止部３４から外れ、図１０に鎖線で示したように、フレーム１の後ろ側に傾動することができるようになる。このように、紙幣収納庫３が傾斜することにより、その上端部がフレーム１から引き出されるので、そこから収納されている紙幣２４を容易に回収することができるようになる。
【００２８】
このように、フレーム１に対して紙幣収納庫３を着脱するときには、紙幣収納庫３の突出部２６は、図１０に矢印３６で示したように移動するので、落下防止金具２７に干渉することはない。また、破壊行為によりフレーム１の側壁が広げられて、ガイド３１とガイドピン３２との係合状態が外れたとしても、紙幣収納庫３の突出部２６が落下防止金具２７によって受け止められるので、紙幣収納庫３が落下することはなく、収納されている紙幣２４が紙幣ガイド口４に近づいてしまうことがない。
【００２９】
以上の実施の形態では、紙幣入口部２がフレーム１の下部に取り付けられたタイプの紙幣識別装置について詳述したが、紙幣入口部２がフレーム１の上部に取り付けられたタイプの紙幣識別装置についても、紙幣ガイド口３を補強するように少なくとも一方がばね材で構成された補強板８，９を取り付けても、たとえばバールによる破壊行為に対して同じような効果を有する。
【図面の簡単な説明】
【００３０】
【図１】本発明による紙幣識別装置の全体を示す概観斜視図である。
【図２】紙幣入口部の中央縦断面図である。
【図３】紙幣識別装置のフレームを示す斜視図である。
【図４】紙幣識別装置のフレームおよび補強板を示す斜視図である。
【図５】補強板の結合方法を示す図である。
【図６】紙幣入口部の分解斜視図である。
【図７】紙幣収納庫および落下防止部を示す正面図である。
【図８】図７のＡ部の詳細を示す部分拡大図である。
【図９】紙幣収納庫の取り付け状態を示す斜視図である。
【図１０】紙幣収納庫の着脱状態を説明する図である。
【符号の説明】
【００３１】
１  フレーム
２  紙幣入口部
３  紙幣収納庫
４  紙幣ガイド口
５，６  ガイド板
７  取込ローラ
８，９  補強板
１１  補強片
１２  中央基部
１３  アーム部
１４  中央基部
１５  フレーム固定部
１６  連結部
１７  外力吸収部
１８  ねじ
【図１】
2005284692.tif 000003
【図２】
2005284692.tif 000004
【図３】
2005284692.tif 000005
【図４】
2005284692.tif 000006
【図５】
2005284692.tif 000007
【図６】
2005284692.tif 000008
【図７】
2005284692.tif 000009
【図８】
2005284692.tif 000010
【図９】
2005284692.tif 000011
【図１０】
2005284692.tif 000012